(57)【要約】【課題】画像形成装置の本体構造体に設けてある機器にアクセスしやすくしてメンテナンス性を向上させる。【解決手段】複数の電装基板を収容する電装ボックス７を、本体構造体１に取り付ける保持ステー１０に載せて保持する。電装ボックス７は、本体構造体１の一の側で回動開閉可能に取り付ける。保持ステー１０は、本体構造体１の他の側で電装ボックス７とともに回動開閉可能に取り付ける。それにより、電装ボックス７だけの開閉回動と、電装ボックス７を保持ステー１０に載置した状態で保持ステー１０及び電装ボックス７の回動開閉とをそれぞれ可能とする。【選択図】図３
2013059909.tif 000002
【特許請求の範囲】
【請求項１】
画像形成装置の本体構造体に電装ボックスを回動開閉可能に取り付ける電装ボックスの支持構造であって、
複数の電装基板を収容する電装ボックスを、前記本体構造体に取り付ける保持ステーに載せて保持するとともに、
前記電装ボックスを、前記本体構造体の一の側で回動開閉可能に取り付ける機構と、
前記保持ステーを、前記本体構造体の他の側で前記電装ボックスとともに回動開閉可能に取り付ける機構とを備え、
前記電装ボックスだけの開閉回動と、前記電装ボックスを前記保持ステーに載置した状態での前記保持ステー及び前記電装ボックスの開閉回動とをそれぞれ可能としてなることを特徴とする電装ボックスの支持構造。
【請求項２】
前記保持ステーの前記本体構造体に対する回動中心が、前記電装ボックスの前記本体構造体に対する回動中心の反対側の位置にあることを特徴とする電装ボックスの支持構造。
【請求項３】
前記保持ステーの前記本体構造体に対する回動中心が、前記本体構造体に配する用紙縦搬送経路に対して対向する側にあることを特徴とする電装ボックスの支持構造。
【請求項４】
前記電装ボックスを回動可能に保持する部材が、前記本体構造体に対して着脱自在に配してあり、前記電装ボックスだけを回動させるときと、前記電装ボックスを前記保持ステーに保持させて回動させる時とて、前記本体構造体への取り付け位置を変えて兼用可能としてなることを特徴とする電装ボックスの支持構造。
【請求項５】
請求項１ないし請求項４のいずれかに記載の電装ボックスの支持構造を、本体構造体に備えてなることを特徴とする画像形成装置。
【発明の詳細な説明】
【技術分野】
【０００１】
本発明は、複数の電装基板を収容する電装ボックスの支持構造と、この支持構造を備えた画像形成装置に関する。
【背景技術】
【０００２】
画像形成装置に用いられる電装基板やコントローラ基板等は、電磁波の放射あるいは電磁波によるノイズの影響を受けやすい。そのため、電装基板を金属製の電装ボックス内にまとめて収容し、画像形成装置の本体構造体に取り付けた駆動ユニットや電装基板等をメンテナンスするために回動開閉するように構成することが知られている（例えば、特許文献１参照）。
【発明の概要】
【発明が解決しようとする課題】
【０００３】
しかしながら、従来の電装ボックスの構造、特に電装基板の回動機構は、電装基板の回転中心側の裏側で画像形成装置の本体構造体に設けてある駆動ユニットや電装部品等にアクセスしにくいという問題があった。
【０００４】
本発明は、画像形成装置の本体構造体に設けてある機器のメンテナンスを行う際に、本体構造体に取り付けられている駆動ユニットや電装部品へのアクセス性を向上させることを目的とする。
【課題を解決するための手段】
【０００５】
本発明の電装ボックスの支持構造は、画像形成装置の本体構造体に電装ボックスを回動開閉可能に取り付ける電装ボックスの支持構造であって、複数の電装基板を収容する電装ボックスを、前記本体構造体に取り付ける保持ステーに載せて保持するとともに、前記電装ボックスを、前記本体構造体の一の側で回動開閉可能に取り付ける機構と、前記保持ステーを、前記本体構造体の他の側で前記電装ボックスとともに回動開閉可能に取り付ける機構とを備え、前記電装ボックスだけの開閉回動と、前記電装ボックスを前記保持ステーに載置した状態での前記保持ステー及び前記電装ボックスの開閉回動を、それぞれ可能としてなることを特徴とする。
【０００６】
また本発明の画像形成装置は、前記の電装ボックスの支持構造を、本体構造体に備えてなることを特徴とする。
【発明の効果】
【０００７】
本発明によれば、電装ボックスの回動に関して、電装ボックスの左右に異なる二箇所の回転中心を持つことで、左右それぞれの回転中心内側の領域で画像形成装置の本体構造体に設けてある機器にアクセスしやすくなり、画像形成装置のメンテナンス性を向上させ得るようになる。
【図面の簡単な説明】
【０００８】
【図１】画像形成装置の本体構造体の全体構成を背面側から見て示す斜視図
【図２】電装ボックス内の構成を図１の正面側から見て示す斜視図
【図３】電装ボックスの回動開閉機構について説明するための斜視図
【図４】保持ステーの回動開閉機構の構成を給紙・定着駆動ユニット側から見て示す斜視図
【図５】保持ステーの回動中心側から見て示す斜視図
【発明を実施するための形態】
【０００９】
本発明の実施の形態を図面を参照して説明する。
概略すると、後述する実施形態は、画像形成装置の本体構造体１の内部に設けてある本体駆動ユニット２や電装部品（コントローラ基板５、ハードディスク６、電装制御基板１２や電装基板１３、１４、高圧基板１５、）等のメンテナンスに際して、以下の特徴を有する。
【００１０】
すなわち、複数の電装基板（図示せず）を収容する電装ボックス７と、この電装ボックス７を保持する保持ステー１０とを備える。保持ステー１０は、電装ボックス７に対しての回転支点と、本体構造体１に対する回転支点を持ち、電装ボックス７と保持ステー１０が本体構造体１に対して回動開閉可能に連結する手段を備え得るようにしている。換言すれば、電装ボックス７の回動に関して、電装ボックス７の左右に異なる二箇所の回転中心を持つことで、本体構造体１に対して図中左右それぞれの回転中心内側の領域にアクセスしやすくなる。  
【００１１】
以下、図面を参照して説明する。
図１、図２は、電装ボックス及び画像形成装置の本体構造体全体の構成について示す斜視図であり、図１は画像形成装置の本体構造体の全体構成を背面側（図中奥側：操作者による操作側とは反対側）から見て、図２は電装ボックス内の構成を図１の正面側（図中手前側：操作者による操作側）から見て示している。
【００１２】
このような画像形成装置においては、設置面積を小さくすることにより省スペースを図ることが求められている。そのため、本体構造体１である後側板側には本体駆動ユニット２、給紙・定着駆動ユニット３、トナー補給ユニット４、その他電装部品等が取り付けてあり、電磁波等を多く放射させるコントローラ基板５やハードディスク６やその他電装基板等は、電磁波を遮蔽するために金属製で箱型構造を持っている電装ボックス７中に納めるようになっている（図２参照）。なお図１において、８は右後フレーム、９は左後フレームである。また図中左側は後述する用紙搬送経路側となっている。
【００１３】
図１、図２には図示していないが、電装ボックス７は、本体駆動ユニット２及び給紙／定着駆動ユニット３やトナー補給ユニット４等を後側板とで挟み込む構成となっている。このような構成とすることで、本体構造体１の左右方向の大きさを抑制することができるようにしてある。また、電装ボックス７は、右後フレーム８及び左後フレーム９の倒れ等を防ぐために、左右を繋ぐ保持ステー１０の上に載せてあり、上部はヒンジブラケット１１等で本体構造体１に固定してある。このような構成とすることで、重量のある電装ボックス７を保持することを可能となっている。ただし、既述のように、このような構成のままでは本体駆動ユニット２及び給紙・定着駆動ユニット３やトナー補給ユニット４、その他電装部品等へのアクセスが困難になっておりメンテナンス性が低下する。
【００１４】
図３は、電装ボックス７の回動開閉機構について説明するための斜視図である。電装ボックス７の上面には、本体構造体１と電装ボックス７を繋ぐヒンジブラケット１１が着脱可能に設けてある。電装ボックス７と保持ステー１０には、電装ボックス７を回動させることができるように軸及び軸穴からなる支持機構（図示は省略するが適宜の機構を採用可能である）を備えており、電装ボックス７の回動中心Ｘ１により電装ボックス７だけを図示のように開くことができる。
【００１５】
このように電装ボックス７を開くと、本体駆動ユニット２やトナー補給ユニット４、電装制御基板１２や高圧基板１５等にアクセスできる。またこのような構造に加え、メンテナンス回数の多い電装制御基板１２や高圧基板１５等は、電装ボックス７だけを回動させて開くだけでアクセスできるように電装ボックス７の回動中心Ｘ１から離れた位置に配置してある。そのため、用紙縦搬送経路側には給紙・定着駆動ユニット３（図５参照）等を配置し、電装制御基板１２や高圧基板１５等は給紙・定着駆動ユニット３の反対側に配置する。そして、電装ボックス７の回動中心Ｘ１は給紙・定着駆動ユニット３側になる。
【００１６】
もちろん、この構成だけでは電装ボックス７の回動中心Ｘ１側にある給紙・定着駆動ユニット３（図４参照）等へのアクセスが困難である。そこで図４、図５に示す構造を有している。
【００１７】
図４は、保持ステー１０の回動機構の構成を給紙・定着駆動ユニット３側から見て示す斜視図、図５は、保持ステー１０の回動中心Ｘ２側から見て示す斜視図である。
【００１８】
保持ステー１０は、用紙縦搬送経路Ｙとは反対側の左後フレーム９に対し、軸と軸穴からなる機構により回動開閉できる構成（これも図示は省略するが適宜の機構を採用可能である）としてある。また、電装ボックス７を保持及び回動させるためのヒンジブラケット１１は、既に述べたように着脱可能に設けてあり、保持ステー１０を回動開閉させる時には不要なので取り外し、取り外したヒンジブラケット１１を保持ステー１０回動中心Ｘ２の位置となるように再取り付けする。このような構成とすることで、保持ステー１０を回動させるための専用のブラケットを用意しなくて良く、コストダウンが図れるようになっている。
【００１９】
そして保持ステー１０と電装ボックス７を保持ステー１０回動中心Ｘ２の周りで一緒に回動開閉させることにより、電装ボックス７の回動中心Ｘ１側にある給紙・定着駆動ユニット３へのアクセスが容易になる。
【符号の説明】
【００２０】
１：本体構造体
２：本体駆動ユニット
３：定着駆動ユニット
４：トナー補給ユニット
５：コントローラ基板
６：ハードディスク
７：電装ボックス
８：右後フレーム
９：左後フレーム
１０：保持ステー
１１：ヒンジブラケット
１２：電装制御基板
１３：電装基板
１５：高圧基板
Ｘ１：回動中心
Ｘ２：回動中心
Ｙ：用紙縦搬送経路
【先行技術文献】
【特許文献】
【００２１】
【特許文献１】特開２００４−２４９６３３号公報
【図１】
2013059909.tif 000003
【図２】
2013059909.tif 000004
【図３】
2013059909.tif 000005
【図４】
2013059909.tif 000006
【図５】
2013059909.tif 000007